(57)【要約】【課題】本人にとって最適な医療機関を本人以外の第三者が知る技術について、容易に実現可能にすること。【解決手段】情報開示許諾部５２は、所定会員（患者）の会員識別情報と、当該所定会員（患者）の情報の開示を許諾する許諾情報との組が所定端末３から送信されてきたことに応じて、当該所定会員（患者）の受診医療機関情報の開示を許諾する。情報抽出部５３は、情報開示許諾部５２により許諾された場合、所定会員（患者）の受診医療機関情報を、受診医療機関情報ＤＢ６１から抽出する。医療機関連絡先情報送信部５４は、情報抽出部５３により抽出された所定会員（患者）の受診医療機関情報を、会員（救急隊員／医療機関）の所定端末３に送信する。【選択図】図３
2015201190.tif 000002
【特許請求の範囲】
【請求項１】
会員を一意に識別する識別情報と、当該会員が受診経験のある医療機関の連絡先及び当該会員の診断内容を含む受診医療機関情報とを少なくとも対応付けて、１以上の会員毎に格納する所定の記憶部に対する記憶を制御する記憶制御手段と、
所定会員の識別情報と、当該所定会員の情報の開示を許諾する許諾情報との組が所定端末から送信されてきたことに応じて、当該所定会員の受診医療機関情報の開示を許諾する情報開示許諾手段と、
前記情報開示許諾手段により許諾された場合、前記所定会員の受診医療機関情報を、前記記憶部から抽出する情報抽出手段と、
前記情報抽出手段により抽出された前記所定会員の受診医療機関情報を、前記所定端末に送信することを制御する送信制御手段と、
を備える情報処理装置。
【請求項２】
前記許諾情報は、当該所定会員が設定したパスワード情報である、
請求項１に記載の情報処理装置。
【請求項３】
前記許諾情報は、前記所定会員以外の他会員の識別情報、又は当該他会員が保有する端末に対して予め付された端末識別情報である、
請求項１に記載の情報処理装置。
【請求項４】
前記所定会員の識別情報と、前記所定会員の前記受診医療機関情報との対応付けがなされている前に、当該所定会員の識別情報が予め登録されたカードから、当該所定会員の識別情報が所定のリーダライタ装置により読み出された場合、
前記記憶制御手段は、当該所定会員の識別情報を取得して、当該所定会員の前記受診医療機関情報とを少なくとも対応付けて前記記憶部に格納する制御を実行し、
前記カードのリーダライタ機能を有する前記所定端末により、前記カードから前記所定会員の識別情報が読み出されて、当該所定会員の識別情報と前記許諾情報との組が送信されてきた場合、前記情報開示許諾手段は、当該所定会員の受診医療機関情報の開示を許諾する、
請求項３に記載の情報処理装置。
【請求項５】
前記所定会員の受診医療機関情報は複数存在し、
複数の前記受診医療機関情報は、当該所定会員の属性情報に基づいて所定の優先順位が予め付与されており、
前記情報抽出手段は、前記属性情報に基づいて前記所定会員の属性情報を抽出し、当該属性情報により特定される前記所定の優先順位に従って、前記複数の受診医療機関情報のうち１以上を前記記憶部から抽出する、
請求項４に記載の情報処理装置。
【請求項６】
情報処理装置が実行する情報処理方法であって、
会員を一意に識別する識別情報と、当該会員が受診経験のある医療機関の連絡先及び当該会員の診断内容を含む受診医療機関情報とを少なくとも対応付けて、１以上の会員毎に格納する所定の記憶部に対する記憶を制御する記憶制御ステップと、
所定会員の識別情報と、当該所定会員の情報の開示を許諾する許諾情報との組が所定端末から送信されてきたことに応じて、当該所定会員の受診医療機関情報の開示を許諾する情報開示許諾ステップと、
前記情報開示許諾ステップの処理で許諾された場合、前記所定会員の受診医療機関情報を、前記記憶部から抽出する情報抽出ステップと、
前記情報抽出ステップの処理により抽出された前記所定会員の受診医療機関情報を、前記所定端末に送信することを制御する送信制御ステップと、
を含む情報処理方法。
【請求項７】
コンピュータに、
会員を一意に識別する識別情報と、当該会員が受診経験のある医療機関の連絡先及び当該会員の診断内容を含む受診医療機関情報とを少なくとも対応付けて、１以上の会員毎に格納する所定の記憶部に対する記憶を制御する記憶制御ステップと、
所定会員の識別情報と、当該所定会員の情報の開示を許諾する許諾情報との組が所定端末から送信されてきたことに応じて、当該所定会員の受診医療機関情報の開示を許諾する情報開示許諾ステップと、
前記情報開示許諾ステップの処理で許諾された場合、前記所定会員の受診医療機関情報を、前記記憶部から抽出する情報抽出ステップと、
前記情報抽出ステップの処理により抽出された前記所定会員の受診医療機関情報を、前記所定端末に送信することを制御する送信制御ステップと、
を含む制御処理を実行させるプログラム。
【発明の詳細な説明】
【技術分野】
【０００１】
本発明は、情報処理装置及び方法、並びにプログラムに関する。
【背景技術】
【０００２】
従来より、急病人が発生すると、当該急病人を、受け入れを受諾した医療機関まで、救急隊員が乗車する救急車で運搬していた（例えば特許文献１参照）。
【先行技術文献】
【特許文献】
【０００３】
【特許文献１】特願２０１１−１２８８３９号公報
【発明の概要】
【発明が解決しようとする課題】
【０００４】
しかしながら、救急隊員が、その急病人にとって最適な医療機関を知ることは困難であった。この点は、救急隊員に限らず、本人以外の第三者に当てはまる。つまり、本人以外の第三者が、本人にとって最適な医療機関を知る必要が生じた場合であっても、当該本人にとって最適な医療機関を知ることは困難であった。
【０００５】
本発明は、このような状況に鑑みてなされたものであり、本人にとって最適な医療機関を本人以外の第三者が知る技術について、容易に実現可能にすることを目的とする。
【課題を解決するための手段】
【０００６】
本発明の一側面の情報処理装置は、
会員を一意に識別する識別情報と、当該会員が受診経験のある医療機関の連絡先及び当該会員の診断内容を含む受診医療機関情報とを少なくとも対応付けて、１以上の会員毎に格納する所定の記憶部に対する記憶を制御する記憶制御手段と、
所定会員の識別情報と、当該所定会員の情報の開示を許諾する許諾情報との組が所定端末から送信されてきたことに応じて、当該所定会員の受診医療機関情報の開示を許諾する情報開示許諾手段と、
前記情報開示許諾手段により許諾された場合、前記所定会員の受診医療機関情報を、前記記憶部から抽出する情報抽出手段と、
前記情報抽出手段により抽出された前記所定会員の受診医療機関情報を、前記所定端末に送信することを制御する送信制御手段と、
を備える。
【０００７】
ここで、前記許諾情報は、当該所定会員が設定したパスワード情報である、
ようにすることができる。
【０００８】
前記許諾情報は、前記所定会員以外の他会員の識別情報、又は当該他会員が保有する端末に対して予め付された端末識別情報である、
ようにすることができる。
【０００９】
前記所定会員の識別情報と、前記所定会員の前記受診医療機関情報との対応付けがなされている前に、当該所定会員の識別情報が予め登録されたカードから、当該所定会員の識別情報が所定のリーダライタ装置により読み出された場合、
前記記憶制御手段は、当該所定会員の識別情報を取得して、当該所定会員の前記受診医療機関情報とを少なくとも対応付けて前記記憶部に格納する制御を実行し、
前記カードのリーダライタ機能を有する前記所定端末により、前記カードから前記所定会員の識別情報が読み出されて、当該所定会員の識別情報と前記許諾情報との組が送信されてきた場合、前記情報開示許諾手段は、当該所定会員の受診医療機関情報の開示を許諾する、
ようにすることができる。
【００１０】
前記所定会員の受診医療機関情報は複数存在し、
複数の前記受診医療機関情報は、当該所定会員の属性情報に基づいて所定の優先順位が予め付与されており、
前記情報抽出手段は、前記属性情報に基づいて前記所定会員の属性情報を抽出し、当該属性情報により特定される前記所定の優先順位に従って、前記複数の受診医療機関情報のうち１以上を前記記憶部から抽出する、
ようにすることができる。
【００１１】
本発明の一側面の情報処理方法及びプログラムは、本発明の一側面の情報処理装置に対応する方法及びプログラムである。
【発明の効果】
【００１２】
本発明によれば、本人にとって最適な医療機関を本人以外の第三者が知る技術について、容易に実現可能にすることができる。
【図面の簡単な説明】
【００１３】
【図１】本発明の実施形態に係る情報処理システムの全体構成を示すブロック図である。
【図２】図１の情報処理システムの構成要素のうち、本発明が適用される情報処理装置の一実施形態としての救急救命情報管理装置のハードウェアの構成を示すブロック図である。
【図３】図２の救急救命情報管理装置の機能的構成を示す機能ブロック図である。
【図４】受診医療機関情報ＤＢに格納される、会員（患者）情報のテーブルの一例を示す図である。
【図５】受診医療機関情報ＤＢに格納される、会員（救急隊員／医療機関）情報のテーブルの一例を示す図である。
【図６】図３の機能的構成の救急救命情報管理装置が実行する救急救命情報管理処理の流れを説明するフローチャートである。
【発明を実施するための形態】
【００１４】
以下、本発明の実施形態について、図面を用いて説明する。
［全体構成］
【００１５】
図１は、本発明の実施形態に係る情報処理システムＳの全体構成を示すブロック図である。
【００１６】
図１に示すように、本実施形態に係る情報処理システムＳは、本発明の情報処理装置の一実施形態としての救急救命情報管理装置１と、ｎの医療機関端末２−１〜２−ｎと、ｍの所定端末３−１〜３−ｍが、ネットワーク４を介して相互に接続されて構成される。
なお、医療機関端末２−１〜２−ｎの夫々を、個々に区別する必要がない場合、これらをまとめて、「医療機関端末２」と呼ぶ。所定端末３−１〜３−ｎの夫々を、個々に区別する必要がない場合、これらをまとめて、「所定端末３」と呼ぶ。
【００１７】
救急救命情報管理装置１の管理者は、医療機関端末２を管理する各医療機関、各医療機関の少なくとも１つに患者として通院経験がある者（以下、「患者」と呼ぶ）、及び所定端末３の保有者を会員として、患者にとって最適な医療機関を、所定端末３の保有者に通知するサービスを少なくとも提供する。
ここで、所定端末３は、各医療機関と何らかのコンタクトを取り得る任意の者に保有される可能性があるが、本実施形態では、各医療機関に救急車で患者を搬送する救急隊員に保有されているものとする。即ち、本実施形態では、救急隊員も本サービスの会員として登録されている。
【００１８】
図２は、本発明の情報処理装置の一実施形態としての救急救命情報管理装置１のハードウェアの構成を示すブロック図である。
【００１９】
救急救命情報管理装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、入力部１６と、出力部１７と、記憶部１８と、通信部１９と、ドライブ２０と、を備えている。
【００２０】
ＣＰＵ１１は、ＲＯＭ１２に記録されているプログラム、又は、記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００２１】
ＣＰＵ１１、ＲＯＭ１２及びＲＡＭ１３は、バス１４を介して相互に接続されている。このバス１４にはまた、入出力インターフェース１５も接続されている。入出力インターフェース１５には、入力部１６、出力部１７、記憶部１８、通信部１９及びドライブ２０が接続されている。
【００２２】
入力部１６は、各種釦等で構成され、オペレータの指示操作に応じて各種情報を入力する。
出力部１７は、ディスプレイやスピーカ等で構成され、画像や音声を出力する。
記憶部１８は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、インターネットを含むネットワーク４を介して医療機関端末２又は所定端末３との間で行う通信を制御する。
【００２３】
ドライブ２０には、磁気ディスク、光ディスク、光磁気ディスク、或いは半導体メモリ等よりなる、リムーバブルメディア３１が適宜装着される。ドライブ２０によってリムーバブルメディア３１から読み出されたプログラムは、必要に応じて記憶部１８にインストールされる。また、リムーバブルメディア３１は、記憶部１８に記憶されている各種データも、記憶部１８と同様に記憶することができる。
【００２４】
なお、図示は省略するが、医療機関端末２及び所定端末３の夫々は、図２のＣＰＵ１１乃至ドライブ２０の夫々と基本的に同様の構成と機能を有しているものとする。
ただし、医療機関端末２及び所定端末３の夫々の入力部１６及び出力部１７は、患者が保有するカード媒体Ｃのリーダ／ライタ機能を有し、カード媒体Ｃと接触又は非接触通信を行うことにより、カード媒体Ｃに記憶された情報を読み出したり、各種情報をカード媒体Ｃに書き込むことができるものとする。
【００２５】
図３は、救急救命情報管理装置１の機能的構成を示す機能ブロック図である。
【００２６】
救急救命情報管理装置１のＣＰＵ１１においては、記憶制御部５１と、情報開示許諾部５２と、情報抽出部５３と、医療機関連絡先情報送信部５４とが機能する。
記憶部１８の一領域には、受診医療機関情報ＤＢ６１が設けられる。
【００２７】
記憶制御部５１は、１以上の会員（患者）毎に、会員を一意に識別する識別情報（以下、「会員識別情報」と呼ぶ）と、受診医療機関情報とを少なくとも対応付けて格納する受診医療機関情報ＤＢ６１の記憶を制御する。ここで、所定会員に対応付けられる受診医療機関情報とは、当該所定会員が受診経験のある医療機関の連絡先及び当該所定会員の診断内容を含む情報をいう。
換言すると、受診医療機関情報ＤＢ６１は、本実施形態では救急救命情報管理装置１の記憶部１８の一領域に設けられているが、記憶制御部５１の記憶の制御が可能であれば、その存在場所は特に限定されず、救急救命情報管理装置１の外部に設けられてもよい。
【００２８】
図４は、受診医療機関情報ＤＢ６１に格納される、会員（患者）情報のテーブルの一例を示す図である。
図４に示すように、所定会員（患者）は所定の１行に対応付けられており、所定の１行の各項目には、会員識別情報、パスワード情報、及び受診医療機関情報が、当該所定会員（患者）の会員情報として夫々格納されている。
所定会員（患者）の会員識別情報は、当該所定会員（患者）に一意に付された識別子を特定可能な情報である。
所定会員（患者）のパスワード情報は、当該所定会員（患者）の会員情報を閲覧するために必要なパスワードであって、当該所定会員（患者）によって設定されたパスワードを特定可能な情報である。
所定会員（患者）の受診医療機関情報は、当該所定会員（患者）の受診履歴を示す情報である。図４の例では、所定会員（患者）が１回受診する毎に、受信した医療機関の連絡先等と、その際の診断内容（日時と病名等）が当該所定会員（患者）の受診医療機関情報として逐次記録される。
【００２９】
通常時においては、所定会員（患者）は、会員識別情報（識別子）が記録されたカード媒体Ｃを保有し、所定医療機関で受診した際、当該所定医療機関の医療機関端末２に対して当該カード媒体Ｃをかざす。
すると、医療機関端末２は、当該所定会員（患者）の会員識別情報（識別子）及び受診記録（受診医療機関情報）を、救急救命情報管理装置１に送信する。
救急救命情報管理装置１の記憶制御部５１は、当該所定会員（患者）の会員識別情報及受診医療機関情報を受信すると、会員（患者）情報のテーブルのうち、当該所定会員に対応する行、即ち受診した会員識別情報が格納された行にアクセスし、当該行の受診医療機関情報に対して受診した内容を追加記憶する制御を実行する。
また、図示はしないが、所定会員（患者）は、自己の保有するスマートフォン等を用いて、救急救命情報管理装置１にアクセスし、自己が設定したパスワードを入力することで、自己の受診医療機関情報（受診履歴）を確認することができる。
【００３０】
ここで、所定会員（患者）が急患になり、救急隊員により医療機関に搬送される場合を考える。
救急隊員は、所定会員（患者）の意識がはっきりしているときには、搬送すべき最適な医療機関を、所定会員（患者）から口頭で直接聞き取ればよい。これにより、救急隊員は、所定会員を最適な医療機関まで運送することができる。
しかしながら、所定会員（患者）の意識が無い場合等においては、救急隊員は、所定会員（患者）を搬送すべき最適な医療機関を、所定会員（患者）から口頭で直接聞くことができない。
そこで、本実施形態では、救急隊員は、自己が保有する端末や救急車に備え付けられた端末として構成される所定端末３に対して、所定会員（患者）の当該カード媒体Ｃをかざすことで、救急救命情報管理装置１から当該所定会員（患者）の受診医療情報の提示を受けることができる。
このような当該所定会員（患者）の受診医療情報を救急隊員に提示するための処理を救急救命情報管理装置１が実行する場合に機能する機能ブロックが、情報開示許諾部５２と、情報抽出部５３と、医療機関連絡先情報送信部５４である。
【００３１】
即ち、情報開示許諾部５２は、所定会員（患者）の会員識別情報と、当該所定会員（患者）の情報の開示を許諾する許諾情報との組が所定端末３から送信されてきたことに応じて、当該所定会員（患者）の受診医療機関情報の開示を許諾する。
ここで、許諾情報としては、所定会員（患者）が設定したパスワード情報のみならず、所定会員以外の他会員（本例では救急隊員）の会員識別情報や、当該他会員が保有する端末（本例では所定端末３）に対して予め付された端末識別情報も採用されている。
【００３２】
図５は、受診医療機関情報ＤＢ６１に格納される、会員（救急隊員／医療機関）情報のテーブルの一例を示す図である。
図５に示すように、会員（救急隊員／医療機関）は所定の１行に対応付けられており、所定の１行の各項目には、会員識別情報、パスワード情報、許諾可否、及び端末情報が、当該会員（救急隊員／医療機関）の会員情報として夫々格納されている。
会員（救急隊員／医療機関）の会員識別情報は、当該会員（救急隊員／医療機関）に一意に付された識別子を特定可能な情報である。
会員（救急隊員／医療機関）のパスワード情報は、当該会員（救急隊員／医療機関）の会員情報を閲覧するために必要なパスワードであって、当該会員（救急隊員／医療機関）によって設定されたパスワードを特定可能な情報である。
許諾可否は、会員（患者）の受診医療機関情報の開示を許諾された者か否かを示す情報である。つまり、会員（救急隊員／医療機関）の全員に対して、会員（患者）の受診医療機関情報の開示を許諾する必要は特になく、救急隊員等の限られた会員のみに対して、会員（患者）の受診医療機関情報の開示を許諾することも可能である。
端末情報とは、会員（救急隊員／医療機関）が保有する端末（本例では所定端末３）に対して予め付された端末識別情報である。
【００３３】
つまり、本実施形態では、図５のテーブルのうち、会員（救急隊員／医療機関）の会員識別情報、又は端末情報が、許諾情報として用いられる。
【００３４】
図３に戻り、情報抽出部５３は、情報開示許諾部５２により許諾された場合、所定会員（患者）の受診医療機関情報を、受診医療機関情報ＤＢ６１から抽出する。
医療機関連絡先情報送信部５４は、情報抽出部５３により抽出された所定会員（患者）の受診医療機関情報を、会員（救急隊員／医療機関）の所定端末３に送信することを制御する。
【００３５】
このように、所定会員（患者）本人からのみならず、救急隊隊員等（他の会員）であっても、当該所定会員（会員）の会員識別情報を、所定の許諾情報と共に送信することで、当該所定会員（患者）の受診医療機関情報（当該医療機関の連絡先等）が得られる。
具体的には例えば他の会員が上記例のように救急隊員であれば、所定会員（患者）を搬送すべき最適な医療機関を、所定会員（患者）から口頭で直接聞くことができない状態であっても、カードＣを所定端末３にかざすだけで得られることになる。
【００３６】
次に、図６を参照して、図３の機能的構成の救急救命情報管理装置１が実行する救急救命情報管理処理の詳細について説明する。救急救命情報管理処理とは、図３乃至図５を用いて概要を上述した処理、即ち所定会員（患者）の受診医療機関情報を記憶し、また、救急隊隊員等（他の会員）の所定端末３から依頼を受けて、所定会員（患者）の受診医療機関情報を当該所定端末３に送信するまでの一連の処理をいう。
図６は、図３の機能的構成の救急救命情報管理装置１が実行する救急救命情報管理処理の流れを説明するフローチャートである。
【００３７】
ステップＳ１において、記憶制御部５１は、医療機関端末２から所定会員（患者）の受情報が送信されてきたか否かを判定する。
医療機関端末２から所定会員（患者）の情報が送信されてこない場合、ステップＳ１においてＮＯであると判定されて、処理はステップＳ３に進む。
ここで、上述したように、所定会員（患者）は、所定医療機関で受診した際、当該所定医療機関の医療機関端末２に対して当該カード媒体Ｃをかざす。すると、医療機関端末２は、当該所定会員（患者）の会員識別情報及び受診記録を、救急救命情報管理装置１に送信する。
このような場合、ステップＳ１においてＹＥＳであると判定されて、処理はステップＳ２に進む。
ステップＳ２において、記憶制御部５１は、当該所定会員（患者）の会員情報として、受診医療機関情報ＤＢ６１に記憶する。即ち、受診医療機関情報ＤＢ６１に記憶された当該所定会員（患者）の受診医療機関情報が更新される。なお、受診医療機関情報ＤＢ６１に当該所定会員（患者）の受診医療機関情報が未だ記憶されていない場合には、新たに受診医療機関情報が生成される。
これにより処理はステップＳ３に進む。
【００３８】
ステップＳ３において、情報開示許諾部５２は、所定端末３から所定会員（患者）の情報が送信されてきたか否かを判定する。
所定端末３から所定会員（患者）の情報が送信されてこない場合、ステップＳ３においてＮＯであると判定されて、処理はステップＳ９に進む。
ステップＳ９において、救急救命情報管理装置１は、処理の終了が指示されたか否かを判定する。
ここで処理の終了の指示は特に限定されないが、例えば本実施形態では、救急救命情報管理装置１の電源がＯＦＦ状態になったことが処理の終了の指示として採用されている。
つまり、救急救命情報管理装置１の電源がＯＦＦ状態になると、ステップＳ９において、ＹＥＳであると判定されて、救急救命情報管理処理が終了となる。
これに対して、救急救命情報管理装置１の電源がＯＮ状態の場合、ステップＳ９においてＮＯであると判定されて、処理はステップＳ１に戻され、それ以降の処理が繰り返される。
【００３９】
ここで、上述したように、所定会員（患者）が急患になった等の場合、救急隊員は、所定端末３に対して、所定会員（患者）のカード媒体Ｃをかざす。すると、所定端末３は、当該所定会員（患者）の会員識別情報及び許諾情報（救急隊員のパスワード情報や所定端末３の端末情報）を、救急救命情報管理装置１に送信する。
このような場合、ステップＳ３においてＹＥＳであると判定されて、処理はステップＳ４に進む。
【００４０】
ステップＳ４において、情報開示許諾部５２は、所定端末３から送信されてきた情報に許諾情報を含むか否かを判定する。
【００４１】
不正な所定端末３や、正当な所定端末３であっても不正な者による操作に基づいて、情報が送信されてきた場合、当該情報には許諾情報が含まれていない。このような場合、ステップＳ４においてＮＯであると判定されて、処理はステップＳ８に進む。
ステップＳ８において、情報開示許諾部５２は、情報開示を禁止し、所定のエラー処理を実行する。これにより、処理はステップＳ９に進み、それ以降の処理が繰り返される。
【００４２】
これに対して、上述の例のように、救急隊員等が正当な所定端末３を利用している場合、許諾情報が含まれているので、ステップＳ４においてＹＥＳであると判定されて、処理はステップＳ５に進む。
ステップＳ５において、情報開示許諾部５２は、情報開示を許諾する。
ステップＳ６において、情報抽出部５３は、所定会員（患者）の情報、即ち、所定会員（患者）の受診医療機関情報を抽出する。
ステップＳ７において、医療機関連絡先情報送信部５４は、所定会員（患者）の情報、即ち、所定会員（患者）の受診医療機関情報を所定端末３に送信する。これにより、処理はステップＳ９に進み、それ以降の処理が繰り返される。
【００４３】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００４４】
例えば、上述の実施形態では、所定端末３から所定会員（患者）のカードＣを用いて情報開示を要求する者は、救急隊員等会員とされたが、会員であることは必須ではない。例えば、海外で所定会員（患者）が急患になった等の場合、海外の医療機関（非会員）も、当該所定会員（患者）の受診医療機関情報（当該医療機関の連絡先等）が得られると便宜である。従って、このような場合、海外の医療機関（非会員）であることを特定可能な情報を許諾情報として採用すればよい。
また、所定会員（患者）の識別情報は、会員識別情報である必要は特にないし、カードＣに格納されている必要も特に無い。
【００４５】
つまり、本発明が適用される情報処理装置は、次のような構成を有すれば足り、各種各様な実施の形態を取ることができる。
【００４６】
即ち、本発明が適用される情報処理装置は、
会員を一意に識別する識別情報と、当該会員が受診経験のある医療機関の連絡先及び当該会員の診断内容を含む受診医療機関情報とを少なくとも対応付けて、１以上の会員毎に格納する所定の記憶部に対する記憶を制御する記憶制御手段と、
所定会員の識別情報と、当該所定会員の情報の開示を許諾する許諾情報との組が所定端末から送信されてきたことに応じて、当該所定会員の受診医療機関情報の開示を許諾する情報開示許諾手段と、
前記情報開示許諾手段により許諾された場合、前記所定会員の受診医療機関情報を、前記記憶部から抽出する情報抽出手段と、
前記情報抽出手段により抽出された前記所定会員の受診医療機関情報を、前記所定端末に送信することを制御する送信制御手段と、
を備える。
【００４７】
これにより、所定会員（患者）本人からのみならず、救急隊隊員（他の会員）や海外の医療機関（非会員）であっても、当該所定会員（患者）の識別情報を、所定の許諾情報と共に送信することで、当該所定会員の受診医療機関情報（当該医療機関の連絡先等）が得られるので便宜である。
【００４８】
ここで、前記許諾情報は、当該所定会員が設定したパスワード情報であるようにすることができる。
【００４９】
これにより、所定会員（患者）本人は、自己の識別情報とパスワード情報を入力するだけでいつでも、自己の受診医療情報を容易に取得することができる。その結果、所定会員（患者）本人は、当該受診医療情報を、自己の通院履歴として容易に見える他、自己の健康管理等各種各様な用途に容易に用いることができる。
また、所定会員（患者）は、海外等の医療機関（非会員）を利用する場合等において、当該非会員に対しても自己の受診医療情報を容易に提供することが可能になる。つまり、海外等の医療機関（非会員）は、所定会員（患者）の許諾を得たうえで、会員の医療機関と同様に、当該所定会員の受診医療情報を取得することができるので、当該所定会員に対する問診や検査を改めて行うことなく、当該所定会員（患者）に対する治療等を適切に行うことができる。
【００５０】
ここで、
前記許諾情報は、前記所定会員以外の他会員の識別情報、又は当該他会員が保有する端末に対して予め付された端末識別情報である、
ようにすることができる。
【００５１】
これにより、上述の如く、救急隊員等の他会員が、（例えば急病で意識を失っているような）所定会員（患者）本人に代わって、受診医療情報を取得することができる。その結果、当該所定会員の救命を適切に行うことができるようになる。
【００５２】
ここで、
前記所定会員の識別情報と、前記所定会員の前記受診医療機関情報との対応付けがなされている前に、当該所定会員の識別情報が予め登録されたカードから、当該所定会員の識別情報が所定のリーダライタ装置により読み出された場合、
前記記憶制御手段は、当該所定会員の識別情報を取得して、当該所定会員の前記受診医療機関情報とを少なくとも対応付けて前記記憶部に格納する制御を実行し、
前記カードのリーダライタ機能を有する前記所定端末により、前記カードから前記所定会員の識別情報が読み出されて、当該所定会員の識別情報と前記許諾情報との組が送信されてきた場合、前記情報開示許諾手段は、当該所定会員の受診医療機関情報の開示を許諾することができる。
この場合、前記所定会員の受診医療機関情報は複数存在し、
複数の前記受診医療機関情報は、当該所定会員の属性情報に基づいて所定の優先順位が予め付与されており、
前記情報抽出手段は、前記属性情報に基づいて前記所定会員の属性情報を抽出し、当該属性情報により特定される前記所定の優先順位に従って、前記複数の受診医療機関情報のうち１以上を前記記憶部から抽出することができる。
【００５３】
これにより、緊急時に救急隊員等が、所定会員（患者）が所持しているカードをタッチするだけで、当該所定会員（患者）の属性情報（たとえば乳幼児、小児、成人、妊婦、高齢者等の属性を示す情報）に基づいて選択された所定の優先順位（たとえば乳幼児は予防接種記録が優先、高齢者は直近の投薬記録が優先等の順位）に基づいて、受診医療機関情報が選択的に救急隊員等に送信される。つまり、当該属性情報を有する所定会員（患者）にとって最適な受診医療機関情報（例えば最適な医療機関の連絡先等）が、緊急時に救急隊員等に送信される。
【００５４】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能がサーバ１に備えられていれば足り、この機能を実現するためにどのような機能ブロックを用いるのかは特に図４の例に限定されない。
また、１つの機能ブロックは、ハードウェア単体で構成してもよいし、ソフトウェア単体で構成してもよいし、それらの組み合わせで構成してもよい。
【００５５】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００５６】
このようなプログラムを含む記録媒体は、ユーザにプログラムを提供するために装置本体とは別に配布される図２のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、記憶部１８に含まれるハードディスク等で構成される。
【００５７】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【符号の説明】
【００５８】
１・・・サーバ、２・・・売手端末、３・・・買手端末、１１・・・ＣＰＵ、１２・・・ＲＯＭ、１３・・・ＲＡＭ、１４・・・バス、１５・・・入出力インターフェース、１６・・・入力部、１７・・・出力部、１８・・・記憶部、１９・・・通信部、２０・・・ドライブ、３１・・・リムーバブルメディア、５１・・・記憶制御部、５２・・・情報開示制御部、５３・・・情報抽出部、５４・・・医療機関連絡先情報送信部
【図１】
2015201190.tif 000003
【図２】
2015201190.tif 000004
【図３】
2015201190.tif 000005
【図４】
2015201190.tif 000006
【図５】
2015201190.tif 000007
【図６】
2015201190.tif 000008